(57)【特許請求の範囲】
【請求項１】
全長に亘り距離1mm当たり、高低差が0.2μ未満である緩やかなカーブをもち、鏡面のような表面滑性を有する型抜きした貼着用合成樹脂フィルムを、接着剤又は粘着剤から成る貼着剤を介しサーフボード本体の中心軸線を中心にして左右に対称的に、該サーフボード本体の接水底面の後部面域のみに又は/及びフィンの両側面のみに貼着したことを特徴とするサーフボード。
【請求項２】
該型抜きした貼着用合成樹脂フィルムは、ポリエステル樹脂、ポリアミド樹脂、ポリエチレン樹脂、ポリプロピレン樹脂、ポリアクリレート樹脂、ポリカーボネート樹脂、ABS樹脂、フッ素樹脂及びポリ塩化ビニル樹脂のグループから選択されたものであることを特徴とする請求項1に記載のサーフボード。
【請求項３】
全長に亘り距離1mm当たり、高低差が0.2μ未満である緩やかなカーブをもち、鏡面のような表面滑性を有し、且つサーフボード本体の接水底面の後部面域のみ又はフィンの両側面のみに貼着するために夫々型抜きした貼着用合成樹脂フィルムとその裏面に粘着剤を塗工した粘着面と該粘着面に仮貼着した剥離紙とから成るサーフボード用型抜き粘着フィルム。
【請求項４】
該サーフボード用型抜き粘着フィルムは、サーフボード本体の中心軸線を中心にして左右に対称的に貼着される分割片から成ることを特徴とする請求項3に記載のサーフボード用型抜き粘着フィルム。
【請求項５】
該型抜きした貼着用合成樹脂フィルムは、透明又は不透明のもの、無色或いは所望の色に着色されたもの、これらの表面に所望の文字やデザインなどを印刷したもの或いはこれらを所望に組み合わせたものから選択された請求項3又は4に記載のサーフボード用型抜き粘着フィルム。
【請求項６】
請求項3,4又は5に記載のサーフボード用型抜き粘着フィルムを、その剥離紙を剥がし、サーフボード本体の中心軸線を中心にして左右に対称的に、該サーフボード本体の接水底面の後部面域のみに又は/及びフィンの両側面のみに貼着して成ることを特徴とする請求項1に記載のサーフボード。
【発明の詳細な説明】
【技術分野】
【０００１】
本発明は、サーフボードのスピード及び方向転換などの運動性能の向上を図ったサーフボード及びサーフボード用型抜き粘着フィルムに関する。
【背景技術】
【０００２】
従来のサーフボードは、所定のサーフボードの形状に成形した超高密度のフォームコアとその表面に強化プラスチック樹脂、代表的には、ガラス繊維などの繊維のクロスの強化プラスチックを一体に積層して成る外皮とから成り、更に、該外皮の表面の水流抵抗を可及的に小さくするべく研磨処理を施して仕上げて製造したものが一般であり好ましく使用されている。
また、そのサーフボードの接水底面の後部面域に１個又は複数個取り付けられたフィンは、前記のサーフボードと同様に製造され、同様の構成から成り、その外皮を構成する強化プラスチックに埋設された繊維クロスは、ガラス繊維の他、カーボン繊維クロス又はその両繊維クロスを使用したものなどがある。
【発明の開示】
【発明が解決しようとする課題】
【０００３】
しかし乍ら、かゝる従来のサーフボードの表面及びフィンの表面は、光学式レーザー測定装置で観察したところ、意外に粗面であり、水流抵抗が大きいことが判明した。
本発明は、かゝる検討の結果に鑑み、水流抵抗を低減し、従来のサーフボードに比しスピード及び方向転換などの運動性能を向上したサーフボードを提供することを目的とする。
【課題を解決するための手段】
【０００４】
本発明は、請求項1に記載の通り、全長に亘り距離1mm当たり、高低差が0.2μ未満である緩やかなカーブをもち、鏡面のような表面滑性を有する型抜きした貼着用合成樹脂フィルムを、接着剤又は粘着剤から成る貼着剤を介しサーフボード本体の中心軸線を中心にして左右に対称的に、該サーフボード本体の接水底面の後部面域のみに又は/及びフィンの両側面のみに貼着したことを特徴とするサーフボードに存する。
更に本発明は、上記の本発明において、請求項2に記載の通り、前記の型抜きした貼着用合成樹脂フィルムは、ポリエステル樹脂、ポリアミド樹脂、ポリエチレン樹脂、ポリプロピレン樹脂、ポリアクリレート樹脂、ポリカーボネート樹脂、ABS樹脂、フッ素樹脂及びポリ塩化ビニル樹脂のグループから選択された所望の合成樹脂フィルムを用いる。
更に本発明は、本発明のサーフボードの製造において、前記の型抜きした夫々の貼着用合成樹脂フィルムの貼着作業を高能率に且つ安価に製造することができるようにするため、請求項3に記載の通り、全長に亘り距離1mm当たり、高低差が0.2μ未満である緩やかなカーブをもち、鏡面のような表面滑性を有し、且つサーフボード本体の接水底面の後部面域のみ又はフィンの両側面のみに貼着するために夫々型抜きした貼着用合成樹脂フィルムとその裏面に粘着剤を塗工した粘着面と該粘着面に仮貼着した剥離紙とから成るサーフボード用型抜き粘着フィルムに存する。
更に、本発明は、上記の本発明のサーフボード用型抜き貼着フィルムとして、請求項4に記載の通り、前記のサーフボード用型抜き粘着フィルムは、サーフボード本体の中心軸線を中心にして左右に対称的に貼着される分割片から成ることを特徴とする請求項3に記載のサーフボード用型抜き粘着フィルムに存する。
更に本発明は、上記の本発明において、請求項5記載の通り、前記の型抜きした貼着用合成樹脂フィルムは、透明又は不透明のもの、無色或いは所望の色に着色されたもの、これらの表面に所望の文字やデザインなどを印刷したもの或いはこれらを所望に組み合わせたものから選択された請求項3又は4に記載のサーフボード用型抜き粘着フィルムに存する。
更に、本発明は、請求項6に記載の通り、前記の各種のサーフボード用型抜き粘着フィルムを、その剥離紙を剥がし、サーフボード本体の中心軸線を中心にして左右に対称的に、該サーフボード本体の接水底面の後部面域のみに又は/及びフィンの両側面のみに貼着して成ることを特徴とする請求項1に記載のサーフボードに存する。
【発明の効果】
【０００５】
かくして、請求項1に係る発明によれば、上記に特定した表面滑性を有する型抜きした合成樹脂フィルムをサーフボード本体の接水底面の後部面域のみ又は/及びフィンの両側面のみに貼着したので、従来のサーフボードに比しスピード及び方向転換などの運動性能を向上したサーフボードが容易に且つ経済的に得られる。その運動性能の向上効果は、該型抜き合成樹脂フィルムをサーフボード本体のフィンの両側面のみに貼った場合、接水底面の後部面域のみに貼った場合、フィンの両側面と該後部面域の両者に貼った場合の順に増大する。
更に、請求項2に係る発明によれば、サーフボード本体に貼着されるこれら前記の型抜きした貼着用合成樹脂フィルムは、機械的強度、耐水性、耐候性、耐衝撃性などに優れ好ましい。
更に、請求項3に係る発明によれば、該サーフボード用型抜き粘着フィルムの該剥離紙を剥がし、該型抜きした粘着用合成樹脂フィルムをその粘着面でサーフボード本体の上記の所定個所に貼着することにより、容易且つ高能率に本発明のサーフボードが得られる。
更に、請求項4に係る発明によれば、これら左右の分割片をサーフボード本体の前記の所定個所に左右対称的に所望の間隔を存せしめて貼着することができ、スピード及び方向転換などの運動性能を向上できる。
更に、請求項5に係る発明によれば、サーファーの製造者、販売者、或いはサーファーなどの需要者は、これらの各種の型抜きした粘着フィルムから選択しこれを貼着することにより趣味性や所望の目的に利用する効果を有する所望のサーフボードを構成することができる。
更に、請求項6に係る発明によれば、製造者や需要者は、寸法や形状の異なる前記各種のサーフボード用型抜き粘着フィルムから選択し、その剥離紙を剥がし、サーフボード本体の上記の所定個所に貼着することにより、請求項1の発明によりもたらされると同様の向上したスピード及び方向転換などの運動性能の向上した本発明のサーフボードが容易且つ経済的に得られる。
【発明を実施するための最良の形態】
【０００６】
本発明を、添付図面に基づいて以下詳述する。
図1は、符号Aで示す本発明実施の1例のサーフボードの裏面図を示す。本発明は、従来のサーフボード1の接水底面2の後部面域2aに、表面滑性を有し、強靭且つ柔軟な大寸法の例えば、広幅長尺の合成樹脂フィルム素材(図示しない)から、該サーフボード1のテール3からその両側縁4,4、即ち、ライトテール4とレフトテール4にかけての外廓形状に沿い且つ該左右縁を跨ぐ幅方向において左右の面形状が対象となるように、図示の例では、V字状の周縁形状をもつように打ち抜くと同時に、該後部面域2a内に、該サーフボード1の中心軸線上に位置して該サーフボード1の底面に予め埋設したプラグ5のフィン嵌着用孔5aに整合せしめる貫通孔6を穿設するように打ち抜いて成る型抜きした後記段落0009に記載の特性を有する底面貼着用合成樹脂フィルム7を多数作製し、用意する。該型抜きした貼着用合成樹脂フィルム7の外周形状や面の寸法は、サーフボードの後部面域の形状、寸法に応じて変わることは言うまでもない。
【０００７】
図示の例では、このように型抜きした該貼着用合成樹脂フィルム7を、該サーフボード1、即ち、サーフボード本体1の該後部面域2aに接着剤又は粘着剤から成る貼着剤8を、該後部面域2aの該貼着用合成樹脂フィルム7を貼着せしめる所定の面域に均一に塗工し、その塗工面8に該貼着用合成樹脂フィルム7を、その貫通孔6を該プラグ5の該フィン嵌着用孔5aに整合した状態で押圧貼着する。その後、該プラグ5の該嵌着用孔5a内に、図2に明示のように、フィン9のタブ9aを固く圧入嵌着する。図1から明らかなように、該サーフボード本体1の接水底面2の後部面域2aに貼着された該型抜きした貼着用合成樹脂フィルム7は、そのサーフボード本体1の中心軸線を中心にして左右に対称的に、即ち、同じ形状、寸法の左右に等しい滑性表面をもつように貼着されて本発明のサーフボードA1が構成される。
【０００８】
該貼着用合成樹脂フィルム7を貼着する前の従来のサーフボード1は、一般に好ましく製造され、使用されているものである。即ち、一般に、木製のストリンガー1cを中心軸線上に埋め込まれた超高密度フォームコア、一般に好ましくは、超高密度ウレタンフォームコアから成る所定形状のサーフボードの成形体1aとその表面に一体に結着したガラス繊維クロスの強化プラスチックの外皮1bとから成り、その外皮の水流抵抗を軽減するために、その外皮表面を研磨処理して製造して成るものである。
また、フィン9も、従来のサーフボード1と同様に構成されたもの、ガラス繊維クロスの代わりに、カーボン繊維クロスの強化プラスチックを外皮としたものなどがある。いずれにしても、従来のサーフボード1もフィン9も超高密度フォームコアと強化繊維プラスチックの外皮とから成るものが一般である。
【０００９】
従来のサーフボード1やフィン9の強化プラスチックから成る外皮の表面を研磨処理したものの表面は、一見平滑面であるように見えるが、発明者は、その表面を光学式レーザー測定装置を用い、測定したところ、図18に示すように、その高低差は距離1mm当たり約0.1〜0.6μの範囲において三角状波形粗面であることが判った。
そこで、これを改善するため、上記の型抜きした貼着用合成樹脂フィルム7をその後部面域2aの粗面に左右に対称的に貼着することにより、下記に詳述するスピード試験で明らかにするように、従来のサーフボード1の滑走スピードを向上することができることを確認された。従ってまた、そのサーフボード1の方向転換などの運動性能も向上する効果をもたらした。
図1に用いた型抜きした合成樹脂フィルム7としては、例えば、強靭且つ柔軟な厚さ50〜125μ程度のポリエチレンテレフタレート樹脂(PET)フィルムを用いたが、その表面滑性度を測定したところ、図17に示すように、距離1mm当たり、高低差が0.2μ未満であり、且つ全長に亘り緩やかなカーブをもち、そのフィルム7の表面全面に亘り光沢を有し、鏡面のような表面滑性を有することが判明した。
該PETフィルムは、機械的強度、耐衝撃性、耐候性、耐水性、耐塩水性、耐熱性のいずれにも優れ、且つ加熱収縮性が殆どなく、サーフボード用として安定堅牢で、使用寿命も長く優れている。勿論、PETフィルムに限らず、その他のポリエステル系樹脂、ポリアミド樹脂、ポリエチレン樹脂、ポリプロピレン樹脂、ポリアクレート樹脂、ポリカーボネート樹脂、ABS樹脂、フッ素樹脂及びポリ塩化ビニル樹脂のグループから選択して使用することができ、これらの樹脂は、機械的強度、耐水性、耐候性、耐久性、耐衝撃性などに優れている。
これら合成樹脂フィルムを貼着する接着剤や粘着剤から成る貼着剤8としては、アクリル系接着剤、アクリル系粘着剤が代表的に好ましく使用される。
【００１０】
上記の実施例では、本発明のサーフボードA1を製造するには、その後部面域2aの所要の面域に接着剤又は粘着剤から成る貼着剤8を均一な厚さに塗布する工程と、次いで貼着用合成樹脂フィルム7を貼着する工程から成るので、その製造作業が煩わしく、時間がかゝり非能率である。
そこで、例えば、広幅帯状の大寸法の上記特性を有する合成樹脂フィルム素材とその裏面に粘着剤を厚さ20〜40μの範囲の厚さに均一に塗工して成る粘着剤とその粘着面に剥離紙を仮貼着して成る素材シートから図1に示す型抜きした貼着用合成樹脂フィルム7と同じ形状寸法に型抜きした図3に示す底面貼着用粘着フィルム7Aを多数作製しておく。図面で7は上記特性を有する型抜きした貼着用合成樹脂フィルム、8は粘着剤塗工面、10は剥離紙、6′は貫通孔を示す。而して、本発明のサーフボードA1を製造するに当たり、従来のサーフボード1、即ち、サーフボード本体1の接水底面2の後部面域2aに、その型抜き粘着フィルム７Aの該剥離紙10を剥がし、その貫通孔6′をフィン9取り付け用プラグ5の嵌着用孔5aに整合させた状態で、その粘着面8を介して押圧貼着することにより、貼着剤の塗工工程を省略できるので、高能率に本発明のサーフボードA1を高能率且つ安価に製造することができる。この場合には、かゝる底面貼着用型抜き粘着フィルム７Aを商品とし、サーフボード1の該テール部面域2aに貼着してスピード及び方向転換などの運動性能の向上をもたらすようにすることができる。
【００１１】
図4及び図5は、本発明の他の実施例を示す。同図に示す従来のサーフボードは、一般に好ましく使用されるフィン9′を3個配設して有する別の形状のサーフボード1′であり、該サーフボード1′に本発明を適用したもので、更に詳細には、該サーフボード1′は、その接水底面2′の後部面域2a′内にそのサーフボード1′の中心軸線上に、テール3′の近傍に位置して着脱自在に取り付けた1つのフィン9とその前方の左右に等距離を存して同様の2つのフィン9,9を配設して成るもので、かゝる形式のサーフボード1′に本発明を適用するに当たり、その3個のフィン9,9,9のうち、その中心軸上に位置する1つのフィン9の周囲のみを囲繞し、且つそのテール3′とその左右の両側縁4′,4′に沿った外周縁形状に打ち抜かれ、且つその左右の両側縁4′,4′を跨ぐ内周縁を中心から左右に対象的にV字状の山形に打ち抜かれ、更に、その中心線上に、前記の各フィン9の前後2つに一対設けたタブ9a,9aを挿通する貫通孔6′,6′を穿設して成る型抜きした底面貼着用粘着フィルム7Bを用意し、その剥離紙10を剥離し、これを図6に示すように、その貫通孔6′,6′をサーフボード1′のフィン取り付け用の各プラグ5′の前後一対の孔5a′,5a′に整合させた状態で、該後部面域2aに図4示のように左右対称的に押圧貼着して本発明のサーフボードA2を構成したものである。
【００１２】
図6は、該フィン9を着脱自在に取り付けられた状態を示す。該フィン9の前後一対のタブ9a,9aをサーフボードA2の該後部面域2aに埋設されたソケット5′の矩形状の嵌合孔5a′,5a′に嵌合し、該ソケット5′に斜めに設けた前後一対の各螺孔11に捻じ込んだ螺鋲12により各該フィン9をそのタブ9aの側面を締め付けてフィン9を圧着固定し取り付けたものである。
従来のサーフボードを本発明のサーフボードに改善するには、一旦、フィン9を取り外した状態で、貼着用合成樹脂フィルム7や該粘着フィルム7Aを上記の要領でサーフボード本体の当該後部面域に貼着することにより達成することができることは言うまでもない。
【００１３】
図7は、本発明の更に他の実施例のサーフボードA3を示す。この実施例に用いられたサーフボード1′の底面貼着用粘着フィルム７Cは、図8に示すように蝶形に、前記と同様に左右対称的に型抜きしたもので、その大きさは、図7に示すように、3個のフィン9,9,9の配設部を囲繞する後部面域2a′に貼着されるに足る大面積を有し、且つ3個のフィン9,9,9の夫々の前後一対のタブ9a,9aを嵌着するプラグ5に配設した前後一対の嵌着用孔5a,5aを3対穿設して型抜きしたものである。
【００１４】
図9は、本発明の更に他の実施例のサーフボードA4の底面の斜視図を示す。この実施例は、従来のサーフボード1′の接水底面2′の後部面域2a′とフィン9との両者にその夫々の周縁形状に沿いした底面貼着用型抜き粘着フィルム７とフィン貼着用型抜き粘着フィルムを夫々貼着したものである。具体的には、図5に示す底面貼着用型抜き粘着フィルム7Bを用い図4に示すように該サーフボード1′の接水底面2′の後部面域2a′に、その剥離紙10を剥がし、その粘着面8で貼着する一方、3つのフィン9,9,9の各フィン9の両側面9b,9bに、前記と同様に、表面の高低差が0.1μ程度で滑らかで且つ光沢のある表面滑性を有し且つ強靭な広幅帯状のアクリル系合成樹脂シート素材より第図11に示すように、上記フィン9の側面9bの周縁形状に沿って打ち抜いて作製したフィン貼着用型抜き粘着フィルム7Dを多数作製して用意し、これを、その剥離紙10を剥がし、その裏面の粘着面8を介し、各フィン9の両側面9b,9bに、図10及び図11に示すように貼着して本発明のサーフボードA4を構成したものである。
図10は、図9のフィン9を取り外し、図9とは反対側のフィン9の側面を示した図である。
【００１５】
図12は、更に本発明の他の実施例のサーフボードA５の底面の斜視図を示す。この実施例では、従来のサーフボード1′の接水底面2′の後部面域2a′には、本発明の型抜きした貼着用合成樹脂フィルム7又は7′を貼着しない代わりに、その3個の各フィン9の両側面9b,9bに、図11に示すフィン貼着用粘着フィルム7Dの剥離紙10を剥がしその粘着面8を介しその粘着フィルム7Dを貼着してサーフボードA5を構成したものである。
【００１６】
図13は、底面貼着用型抜き粘着フィルムの変形例7B′を示し、図14は、フィン貼着用型抜き粘着フィルムの変形例7D′を夫々示す。これらの変形例7B′及び7D′の夫々は、その粘着面8に両端が外気に連通する排気用溝13を多数条設けたものである。図示の例では、排気用溝13を縦横に交叉して多数条規則的に設けたものであるが、これに限定されない。横方向のみ或いは縦方向のみに間隔を存しその多数の排気用溝を配設してもよい。また、図示しないが、粘着剤8を型抜きした合成樹脂フィルム7の裏面に点状に規則的に或いは不規則域に塗工し、その間を排気用溝とするなど任意である。
かゝる型抜き粘着フィルム7B′及び7D′を、その剥離紙10,10を剥がし、上記の所定個所に夫々押圧貼着するときは、その被貼着面との間の空気は、これらの排気用溝13,13,…を介し外部に排出されるので、気泡として残留することなく全面に亘り被貼着面に良好に貼着することができる。
【００１７】
従来のサーフボード1′本体の接水底面2の後部面域2aやフィン9の側面9bに接着剤又は粘着剤を塗工後、貼着される裏面に貼着剤の塗工面を有しない型抜きの合成樹脂フィルム7や所定の形状に底面貼着用型抜き粘着フィルム又はフィン貼着用型抜き粘着フィルムは一枚から成るものに限定されない。例えば、図15に示すように、底面貼着用型抜き粘着フィルム7Aは、サーフボード1′のテール3′から両側縁4′,4′に沿って切り抜かれると共に、2分割された左右対象形状の半割に打ち抜かれると共に、フィンのタブを挿入する前後一対のソケット5′,5′の各嵌着用孔5aに整合される貫通孔6′を中心線で切断し、左右に対向する半円孔6a′,6a′に打ち抜かれて形成されて成る型抜きの分割片7a′,7a′に作製し、その夫々を図15に示すように、サーフボード1′の該後部面域2a′の中心部に少許の間隔sを存して左右対称に貼着するようにして本発明のサーフボードA6を構成してもよく、また、図16に示すように、3片に分割し型抜きされた底面貼着用粘着フィルム7Aの3つの分割片7a,7a,7aに構成し、互いに間隔sを存し且つサーフボードの中心軸線を中心に左右対称に貼着して本発明のサーフボードA7を構成してもよい。
【００１８】
尚、一般に、型抜きされたフィン貼着用合成樹脂フィルムとしては、前記の裏面に予め粘着面を有する粘着フィルムに代え、(図示しないが)裏面に粘着面8を施されていない同様に型抜きしたフィン貼着用合成樹脂フィルム又はその複数個に分割されたその分割片を用意し、これを、図示しないが、サーフボード本体のフィンの両側面に接着剤又は粘着剤から成る貼着剤を全面的に或いは部分的に塗工した塗工面を介し、フィンの両側面に貼着するようにしてもよい。
【００１９】
また、裏面に貼着剤の塗工面を施されていない型抜き貼着用合成樹脂フィルム或いは塗工面を施された型抜き粘着合成樹脂フィルムとしては、透明、半透明、又は不透明のもの、無色又は有色のもの、或いはこれらのものの表面に、所望の文字や図案、絵画、模様などの各種の表示を印刷したものなどを作製した各種の表面滑性の合成樹脂フィルムを用意し、これらから選択し、サーフボード本体の該後部面域又はそのフィンに貼着して本発明の各種のサーフボードを作製することができる。例えば、サーファーなどの需要者は、これらの各種の型抜きした貼着用合成樹脂フィルムや型抜き粘着フィルムから、趣好や目的に応じ、その底面貼着用又はフィン貼着用に選択使用することができる。
【００２０】
次に、本発明の上記の各種のタイプのサーフボードと従来のサーフボードの滑走時のスピード性能を比較するべく、図19に示す実験装置を用い、次のように滑走テストを行った。比較試験に供した夫々のサーフボードとしては、実物の3分の1のスケールで、材料は全て実物の夫々のサーフボードと同様に作製した模型を用いた。
即ち、図4に示す本発明のサーフボードA2の模型をサンプルAとして、図9に示すサーフボードA4の模型をサンプルBとし、図12に示す本発明のサーフボードA5の模型をサンプルCとして用意する一方、比較のため、従来のサーフボード1′、即ち、ストリンガーを埋設した超高密度ウレタンフォームコアとその表面に表面を研磨処理したガラス繊維強化アクリル系プラスチックの外皮を一体に積層結着して成ると共に同様の材料で構成した3個のフィンを埋設したサーフボード1′の模型をサンプルDとして用意した。
一方、実験装置として、図19に示すような実験装置14を用意した。即ち、該装置14は、長方形の水槽15内に図面で左側に高さ6フィートの加速スロープ16を設け、該加速スロープ16の下端の右側に水深600mmまで水を湛えた全長10フィートの滑走コース17を設けて成る。
而して、上記のサンプルA,B,C,Dの各サンプルにつき、滑走性能を調べるため、上記の加速スロープ16の上部の同じ高さから手離し、加速させて着水させ、図示のように滑走コース17の水面を滑走させ、着水位置(0フィート)から、2フィート、4フィート、5フィート、6フィート、8フィート、水槽の端壁に衝突する滑走完了地点10フィートの各地点において計測装置によりラップタイム(秒)を測定した。かゝる滑走試験を各サンプルにつき10回繰り返した。同図に示す夫々のサーフボードA,B,C,Dの各地点におけるラップタイムの値(秒)は10回の試験において計測した値の平均値を示す。
同図に示すように、従来のサーフボードDは、着水位置から7.6フィートのところで滑走が停止し、10フィートを完走できなかった。その地点までの滑走時間は4.8秒かゝった。
これに対し、本発明のサーフボードAは、例えば、5フィートの地点でのラップタイムは1秒であり、従来のサーフボードDの2倍の速さであり、且つ10フィートを完走した。その完走時間は5.1秒であった。
本発明のサーフボードBは、5フィートの地点でのラップタイムは0.8秒であり、本発明のサーフボードAより更に滑走時間を短縮し、且つ10フィートを完走した。その完走時間は4.4秒とサーフボードAより更にスピード性能を向上した。
本発明のサーフボードCは、5フィートの地点でのラップタイムは1.8秒であり、従来のサーフボードDよりスピードを向上し、且つ10フィートを完走した。その完走時間は7.9秒であった。
以上から明らかなように、本発明のサーフボードA,B,Cはいずれも従来のサーフボードDに比し、スピードが向上することを確認した。また、本発明のサーフボードA,B,Cのスピードの向上性は、サーフボードB、サーフボードA,サーフボードCの順であった。即ち、合成樹脂フィルムをサーフボードの底面とフィンの両方に貼着した場合がスピードの向上効果は最大となり、次いで底面にのみ貼着した場合、フィンのみに貼着した場合の順となることが判った。
【産業上の利用可能性】
【００２１】
このように、本発明は、従来の各種のサーフボードに適用し、滑走時のスピードの向上、従ってまた、方向転換の敏捷性の向上など運動性能を向上できる。
また、サーファーなどの需要者は、本発明のサーフボード用貼着用合成樹脂フィルムや粘着フィルムとして透明なもの、美麗に着色したもの、或いはその表面に各種の文字やデザインを施したものなど各種のものから所望に応じ選択し、従来のサーフボードに貼着してその向上したスピードと共にそのデザインなどの意匠効果を楽しむことができ、また、商品の宣伝、広告などに利用できる。
【図面の簡単な説明】
【００２２】
【図１】本発明の実施の1例のサーフボードの裏面図である。
【図２】第1図のII-II線裁断の拡大断面図である。
【図３】本発明の実施の1例のサーフボード用型抜き粘着フィルムの一部を裁除した正面図である。
【図４】本発明の他の実施例のサーフボードの底面の斜視図である。
【図５】図4に示すサーフボードへの貼着に用いられる型抜き粘着フィルムの一部を裁除した正面図である。
【図６】図4のVI-VI線裁断の拡大断面図である。
【図７】本発明の更に他の実施例のサーフボードの底面の斜視図である。
【図８】図7に示すサーフボードへの貼着に用いられる型抜き粘着フィルムの一部を裁除した正面図である。
【図９】本発明の更に他の実施例のサーフボードの底面の斜視図である。
【図１０】図9に示すフィンの1つを取り外し、図9に示す側面とは反対側のフィンの側面を示す図である。
【図１１】図7及び図8に示すサーフボードのフィンへの貼着に用いた粘着シートから成るサーフボード用貼着シートに用いた型抜きフィン貼着用粘着シートの一部を裁除した正面図である。
【図１２】本発明の更に他の実施例のサーフボードの底面側の斜視図である。
【図１３】サーフボードの該後部面域への貼着に用いる型抜き粘着フィルムの粘着面の変形例を示す剥離紙を剥いだ状態の正面図である。
【図１４】サーフボードのフィンの側面への貼着に用いられる型抜き粘着フィルムの粘着面の変形例を示す剥離紙を剥いだ状態の正面図である。
【図１５】本発明の更に他の実施例のサーフボードの接水底面の後部面域の正面図である。
【図１６】本発明の更に他の実施例のサーフボードの接水底面の後部面域の正面図である。
【図１７】従来のサーフボードの表面の表面滑性度を示すグラフである。
【図１８】サーフボードに貼着する型抜きした合成樹脂フィルムの1例の表面滑性度を示すグラフである。
【図１９】本発明の実施例のサーフボードと従来のサーフボードのスピードを比較する実験装置とスピードの比較試験データを示す図である。
【符号の説明】
【００２３】
1  サーフボード、サーフボード本体
2  接水底面
2a  後部面域
7  型抜きした貼着用合成樹脂フィルム
7D  フィン貼着用型抜き粘着フィルム
8  貼着剤、塗工面
9  フィン
9b  フィンの側面
10  剥離紙
【図１】
0004368807.tif 000002
【図２】
0004368807.tif 000003
【図３】
0004368807.tif 000004
【図４】
0004368807.tif 000005
【図５】
0004368807.tif 000006
【図６】
0004368807.tif 000007
【図７】
0004368807.tif 000008
【図８】
0004368807.tif 000009
【図９】
0004368807.tif 000010
【図１０】
0004368807.tif 000011
【図１１】
0004368807.tif 000012
【図１２】
0004368807.tif 000013
【図１３】
0004368807.tif 000014
【図１４】
0004368807.tif 000015
【図１５】
0004368807.tif 000016
【図１６】
0004368807.tif 000017
【図１７】
0004368807.tif 000018
【図１８】
0004368807.tif 000019
【図１９】
0004368807.tif 000020